(57)【特許請求の範囲】
【請求項１】
出退表示の対象人物の在／不在を入力する操作スイッチを備えた操作器と、当該操作器の操作スイッチに対応付けて対象人物の出退を表示する表示部を備えた出退表示器と、専用の信号線である第１の信号線を介して上記操作器及び上記出退表示器に接続される監視制御部とからなる第１の出退表示設備と、
ネットワークの信号線であって上記第１の信号線とは異なる第２の信号線に接続されて所定のプロトコルによるデータの送受信が行える通信機能を備えたクライアント用のネットワーク端末と、上記第２の信号線に接続されるネットワーク制御部とからなる第２の出退表示設備とを併存させ、
上記監視制御部は、上記操作器及び上記出退表示器との間で多重伝送信号により、制御、監視のデータの授受を行う第１の監視制御機能と、上記対象人物と当該対象人物の在／不在の状態とを対応付けた第１の状態テーブルとを備えるとともに、上記操作器から上記操作スイッチの操作データが送られてくると、当該操作データに基づいて上記第１の状態テーブルの当該操作スイッチに対応する対象人物の在／不在の状態データを更新するとともに、上記第１の状態テーブルの状態データが更新されると、当該状態データに基づいて当該対象人物に対応関係を持つ上記出退表示器の表示部の表示状態を変更させる制御データを上記多重伝送信号により上記出退表示器へ少なくとも送信する第２の監視制御機能を備え、
上記ネットワーク制御部は、上記ネットワーク端末との間で所定のプロトコルによってデータの授受を行う通信機能と、上記出退表示の対象人物と当該対象人物の在／不在の状態とを対応付けた第２の状態テーブルとを備えるとともに、上記ネットワーク端末側の入力操作によって入力される所定の対象人物の在／不在のデータを受け取ると、当該データに基づいて上記第２の状態テーブルの当該対象人物の状態データを更新するとともに、上記第２の状態テーブルの状態テーブルが更新されると、当該状態データに基づいた当該対象人物の出退表示用データを、当該対象人物の出退表示を行う上記ネットワーク端末へ伝送する第３の監視制御機能を備え、
上記監視制御部と上記ネットワーク制御部とで伝送ユニットを構成し、
上記伝送ユニットは、上記ネットワーク制御部と上記監視制御部の何れか一方の状態テーブルの状態データの変化があると、当該状態データに対応する対象人物と同一対象人物に対応する他方の状態テーブルの状態データを、上記伝送ユニット内における上記監視制御部と上記ネットワーク制御部との間のデータの授受によって更新させる機能を備える
ことを特徴とする出退表示システム。
【請求項２】
上記ネットワーク端末にはＷｅｂブラウザを、ネットワーク制御部にはＷｅｂサーバ機能を夫々搭載して、上記ネットワーク制御部とネットワーク端末との間のデータ送受信をＨＴＴＰ通信により行い、上記ネットワーク端末ではＷｅｂブラウザによる閲覧画面上に、所定の対象人物の在／不在の入力操作部、所定の対象人物の出退表示部を形成して成ることを特徴とする請求項１記載の出退表示システム。
【請求項３】
上記伝送ユニットのネットワーク制御部には、ネットワーク同士がルータを介して接続される他の出退表示システムにおける出退表示の対象人物に、自己側の出退表示の対象人物を関連付けて設定し、第２の状態テーブル中、該関連付けた対象人物に対応する状態データが更新された際に、更新された状態データに対応する他の出退表示システムの伝送ユニットのネットワーク制御部に対して該ネットワーク制御部の第２の状態テーブルの関連対象人物の状態データを更新するための通知を上記ネットワークを介して行う連動設定機能を備えていることを特徴とする請求項１又は２記載の出退表示システム。
【請求項４】
上記伝送ユニットのネットワーク制御部には、予め指定された対象人物の状態データが不在状態から在状態に更新されると、予め設定されたメールアドレス宛の在状態通知用メールを上記ネットワークを介してメールサーバへ送信する在メール通知機能を備えていることを特徴とする請求項１乃至３の何れか記載の出退表示システム。
【請求項５】
伝送ユニットには第１の出退表示設備の非稼働／稼働の時間帯を設定するタイマを備えるとともに、第１の出退表示設備の非稼働時間帯では監視制御部の第１の状態テーブルのデータによる上記ネットワーク制御部の状態テーブルの更新を停止し、第１の出退表示設備の稼働開始時に、該稼働開始時点の上記ネットワーク制御部の第２の状態テーブルのデータで監視制御部の第１の状態テーブルのデータを更新する機能を備えたことを特徴とする請求項１乃至４の何れか記載の出退表示システム。
【請求項６】
伝送ユニットのネットワーク制御部には、第１の出退表示設備側に付設される操作端末のオン／オフ状態を監視して、その状態をネットワーク端末側で閲覧可能とする機能を備えていることを特徴とする請求項１乃至５の何れか記載の出退表示システム。
【発明の詳細な説明】
【０００１】
【発明の属する技術分野】
本発明は、出退表示システムに関するものである。
【０００２】
【従来の技術】
従来の出退表示設備は、図１５に示すように出退表示の対象人物の在／不在を入力する操作スイッチＳを１乃至複数備えた操作器２と、該操作器２の操作スイッチＳに対応付けている対象人物の出退を表示する表示部３…を複数備えた出退表示器４と、盤１内に設けた監視制御部５とを２線の専用信号線６を介して接続して構成され、時分割多重伝送信号（以下伝送信号と言う）Ｖｓを用いて監視制御部５が操作器２の操作スイッチＳ…の操作を監視するとともに、出退表示器４の表示部３…を制御するようなっている。
【０００３】
ここで、監視制御部５から送出される伝送信号Ｖｓは図１６（ａ）に示すように信号送出開始を示すスタートパルスＳＰ、伝送信号Ｖｓのモードを示すモードデータＭＤ、操作器２、出退表示器４を各別に呼び出すためのアドレスデータＡＤ、操作器２や出退表示器４を制御するための制御データＣＤ、伝送誤りを検出するためのチェックサムデータＣＳ、操作器２や出退表示器４からの返信信号を受信するタイムスロットである返信信号期間ＷＴよりなる双極性（±２４Ｖ）のベースバンド信号により構成され、図１６（ｂ）に示すようにパルス幅変調によってデータが伝送されるようになっている。
【０００４】
一方操作器２や出退表示器４では、それぞれ、信号線６を介して受信した伝送信号Ｖｓにより伝送されたアドレスデータＡＤが予め設定されたアドレスに一致すると、伝送信号Ｖｓから制御データＣＤを取り込むとともに、伝送信号Ｖｓの信号返信期間ＷＴに監視データなどのデータを電流モード信号（信号線６を適当な低インピーダンスを介して短絡することにより送出される信号）として返信する。
【０００５】
ここで監視制御部５から所望の出退表示器４又は操作器２に制御データＣＤを伝送する場合には、モードデータＭＤを制御モードとし、当該機器のアドレスをアドレスデータＡＤとする時分割多重伝送信号Ｖｓを送出し、この時分割多重伝送信号Ｖｓを信号線６に送出すれば、アドレスデータＡＤに一致する機器が制御データＣＤを受け取って、出退表示器４では表示部３を、また操作器２では操作スイッチＳに併設又は内蔵する状態表示部を制御データＣＤに基づいて制御する。
【０００６】
ところで、監視制御部５は、常時にはモードデータＭＤをダミーモード或いは常時ポーリングとして、ダミー用のアドレス、或いは接続されている全機器のアドレスに伝送信号Ｖｓを一定時間間隔で送出しており、操作器２の操作スイッチＳの操作があって監視制御部５に対して操作スイッチＳの操作データを伝送しようとするときには、ダミーモード或いはポーリング中の伝送信号ＶｓのスタートパルスＳＰに同期させて図１６（ｃ）のような割込信号Ｖｉを発生させる。このとき、操作器２は割込フラグを設定して監視制御部５との以後のデータ授受に備える。監視制御部５では割込信号を受信すると、モードデータＭＤを割込ポーリングモードとして割込信号を発生させた操作器２をサーチするための割り込みポーリングを行う。この場合、アドレスデータＡＤの上位の半数のビットの（アドレスデータＡＤを８ビットとすれば上位４ビット）を順次増加させながら伝送信号Ｖｓを送出し、割込信号を発生した操作器２では、割込ポーリングモードの伝送信号ＶｓのアドレスデータＡＤの上位４ビットが自己のアドレスの上位４ビットに一致するときに、信号返信期間ＷＴにアドレスの下位の半数のビットを監視制御部５に返信する。このようにして、監視制御部５は割込信号Ｖｉを発生した操作器２のアドレスを獲得すると、モードデータＭＤを監視モードとし、獲得したアドレスデータＡＤを持つ伝送信号Ｖｓを信号線６に送出し、これに対して当該操作器２は伝送しようとする情報を信号返信期間ＷＴに返信するのである。最後に、監視制御部５は割込信号を発生した操作器２に対して割込リセットを指示する信号を送出し、操作器２の割込フラグを解除する。
【０００７】
さて従来例において或る操作器２に設けた操作スイッチＳが操作されると、当該操作器２は割込信号を送出し、監視制御部５の割り込みポーリングに応じてアドレス返信を行い、監視制御部５からの割込み要求監視のアクセスに対応して操作スイッチＳの操作データを監視データとして監視制御部５へ返信する。この監視データを受け取った監視制御部５では、操作器２から返信された監視データに基づいて、操作スイッチＳとの対応関係が予め設定されている出退表示器４に伝送する制御データＣＤを生成し、その制御データＣＤを含む伝送信号Ｖｓを信号線６に送出し、対応する出退表示器４に制御データＣＤを伝送し、この制御データＣＤに応じて出退表示器４が対応する表示部３を例えば青色又は赤色で点灯表示させる。
【０００８】
また出退表示器４は、各表示部３の動作状態を示す監視データを監視制御部５へ返信させるようになっており、監視制御部５はこの監視データに基づいて個々の人物の在、不在の状態データを格納する状態テーブルを備え、また、監視制御部５は上述の監視データに基づいて対応する操作器２の操作スイッチＳに付設している動作モニタ用の状態表示部を構成するＬＥＤ（図示せず）を点灯／消灯させる制御データＣＤを伝送し、この制御データＣＤを受け取った操作器２では制御データＣＤに基づいて対応する操作スイッチＳに付設したＬＥＤを点灯又は消灯させることにより、対応する表示部３の動作状態を表示する。
【０００９】
このように従来例の出退表示設備は、監視制御部５によって各操作器２，出退表示器４の監視制御を行うことにより、操作器２に設けられた操作スイッチＳの操作の度に当該操作スイッチＳに対応する出退表示器４の表示部３の表示状態を変更し、当該操作スイッチＳに対応付けた対象人物の在／不在に対応した出退を表示部３の状態で表示するようになっている。
【００１０】
【発明が解決しようとする課題】
ところで上記のような従来の出退表示設備の、監視制御部５，出退表示器４，操作器２は当該設備に対応した専用の機器により構成されているため、汎用性にかけている上に、出退表示器４がフロアや廊下等の壁に掛けて使用する壁掛け型のものであって、設けられている夫々の表示部３が小さいため離れた場所からは見え難く、近くまで行かなければならないという課題があった。また表示部３を、当該表示部３に対応する対象人物の好む形に変更することができないとう課題があった。
【００１１】
このような専用の機器によって構成される出退表示設備に対して、ローカルネットワークに接続した汎用のパーソナルコンピュータ等からなるクライアント用のネットワーク端末を用いて出退情報の表示を行うシステムが近年提供されてきているが、この種のものはネットワーク端末が使用許可されたクライアントの机上に配置されるため、出退情報を確認する際には、そのネットワーク端末を立ち上げて出退情報を表示させる必要があり、席を離れているときには出退情報を確認することができないという問題があった。
【００１２】
また使用が許可されたネットワーク端末がその場に無い人（他部署の人）は、出退情報を確認できないという問題があった。
【００１３】
本発明は、上記の点に鑑みて為されたもので、その目的とするところは専用の機器を使用する出退表示設備と、ネットワーク端末による出退情報の表示が行える出退表示設備との両者の長所が生かせる出退表示システムを提供することにある。
【００１４】
【課題を解決するための手段】
上記目的を達成するために、請求項１の発明では、出退表示の対象人物の在／不在を入力する操作スイッチを備えた操作器と、当該操作器の操作スイッチに対応付けて対象人物の出退を表示する表示部を備えた出退表示器と、専用の信号線である第１の信号線を介して上記操作器及び上記出退表示器に接続される監視制御部とからなる第１の出退表示設備と、ネットワークの信号線であって上記第１の信号線とは異なる第２の信号線に接続されて所定のプロトコルによるデータの送受信が行える通信機能を備えたクライアント用のネットワーク端末と、上記第２の信号線に接続されるネットワーク制御部とからなる第２の出退表示設備とを併存させ、上記監視制御部は、上記操作器及び上記出退表示器との間で多重伝送信号により、制御、監視のデータの授受を行う第１の監視制御機能と、上記対象人物と当該対象人物の在／不在の状態とを対応付けた第１の状態テーブルとを備えるとともに、上記操作器から上記操作スイッチの操作データが送られてくると、当該操作データに基づいて上記第１の状態テーブルの当該操作スイッチに対応する対象人物の在／不在の状態データを更新するとともに、上記第１の状態テーブルの状態データが更新されると、当該状態データに基づいて当該対象人物に対応関係を持つ上記出退表示器の表示部の表示状態を変更させる制御データを上記多重伝送信号により上記出退表示器へ少なくとも送信する第２の監視制御機能を備え、上記ネットワーク制御部は、上記ネットワーク端末との間で所定のプロトコルによってデータの授受を行う通信機能と、上記出退表示の対象人物と当該対象人物の在／不在の状態とを対応付けた第２の状態テーブルとを備えるとともに、上記ネットワーク端末側の入力操作によって入力される所定の対象人物の在／不在のデータを受け取ると、当該データに基づいて上記第２の状態テーブルの当該対象人物の状態データを更新するとともに、上記第２の状態テーブルの状態テーブルが更新されると、当該状態データに基づいた当該対象人物の出退表示用データを、当該対象人物の出退表示を行う上記ネットワーク端末へ伝送する第３の監視制御機能を備え、上記監視制御部と上記ネットワーク制御部とで伝送ユニットを構成し、上記伝送ユニットは、上記ネットワーク制御部と上記監視制御部の何れか一方の状態テーブルの状態データの変化があると、当該状態データに対応する対象人物と同一対象人物に対応する他方の状態テーブルの状態データを、上記伝送ユニット内における上記監視制御部と上記ネットワーク制御部との間のデータの授受によって更新させる機能を備えることを特徴とする。
【００１５】
請求項２の発明では、請求項１の発明において、上記ネットワーク端末にはＷｅｂブラウザを、ネットワーク制御部にはＷｅｂサーバ機能を夫々搭載して、上記ネットワーク制御部とネットワーク端末との間のデータ送受信をＨＴＴＰ通信により行い、上記ネットワーク端末ではＷｅｂブラウザによる閲覧画面上に、所定の対象人物の在／不在の入力操作部、所定の対象人物の出退表示部を形成して成ることを特徴とする。
【００１６】
請求項３の発明では、請求項１又は２の発明において、上記伝送ユニットのネットワーク制御部には、ネットワーク同士がルータを介して接続される他の出退表示システムにおける出退表示の対象人物に、自己側の出退表示の対象人物を関連付けて設定し、第２の状態テーブル中、該関連付けた対象人物に対応する状態データが更新された際に、更新された状態データに対応する他の出退表示システムの伝送ユニットのネットワーク制御部に対して該ネットワーク制御部の第２の状態テーブルの関連対象人物の状態データを更新するための通知を上記ネットワークを介して行う連動設定機能を備えていることを特徴とする。
【００１７】
請求項４の発明では、請求項１乃至３の何れかの発明において、上記伝送ユニットのネットワーク制御部には、予め指定された対象人物の状態データが不在状態から在状態に更新されると、予め設定されたメールアドレス宛の在状態通知用メールを上記ネットワークを介してメールサーバへ送信する在メール通知機能を備えていることを特徴とする。
【００１８】
請求項５の発明では、請求項１乃至４の何れかの発明において、伝送ユニットには第１の出退表示設備の非稼働／稼働の時間帯を設定するタイマを備えるとともに、第１の出退表示設備の非稼働時間帯では監視制御部の第１の状態テーブルのデータによる上記ネットワーク制御部の状態テーブルの更新を停止し、第１の出退表示設備の稼働開始時に、該稼働開始時点の上記ネットワーク制御部の第２の状態テーブルのデータで監視制御部の第１の状態テーブルのデータを更新する機能を備えたことを特徴とする。
【００１９】
請求項６の発明では、請求項１乃至５の何れかの発明において、伝送ユニットのネットワーク制御部には、第１の出退表示設備側に付設される操作端末のオン／オフ状態を監視して、その状態をネットワーク端末側で閲覧可能とする機能を備えていることを特徴とする。
【００２０】
【発明の実施の形態】
以下本発明を実施形態により説明する。
【００２１】
図１は、本発明の実施形態の一システム例を示しており、本システムは図１５に示す伝送信号Ｖｓを用いた専用機器使用の第１の出退表示設備（Ｉ）と、パーソナルコンピュータからなるクライアント用ネットワーク端末１０…を、例えば１０ＢＡＳＥ−Ｔ仕様のネットワークの信号線１１に接続して、これらネットワーク端末１０…を出退表示の表示手段、在／不在の入力操作手段として用いた出退表示設備(II)とを、盤１内に設けた伝送ユニット２０によって両設備（Ｉ）（II)を連携動作させるようになっている。
【００２２】
伝送ユニット２０は、図２に示すように出退表示設備（Ｉ）側の監視制御部５と、ネットワーク側の制御を行うためのネットワーク制御部１２と、両制御部５，１２との間でデータの授受を行うためのバス２１と、両制御部５，１２に直流電源電圧を供給するための安定化電源部２２、安定化電源部２２と商用交流電源との間に挿入されるブレーカー２３、サージ吸収素子２４からなる電源装置２５と、出退表示設備（Ｉ）の非稼働／稼働時間帯を設定するためのタイマ７とで構成される。尚図２中Ｔ１は商用交流電源を接続するための端子部、Ｔ２は信号線６を接続するための端子部である。
【００２３】
監視制御部５は図３に示すように伝送信号Ｖｓの送信と、返信信号の受信とを行うための送受信部５０と、上述したような操作器２，出退表示器４の監視制御のための処理を行う機能、タイマ７のタイマ出力によって出退表示設備（Ｉ）の非稼働／稼働時間帯を管理する機能、Ｉ／Ｆ部５１を通じてネットワーク制御部１２との間でデータの授受を行うための機能と、付設する記憶部５２に対するデータの書き込み、読み出し処理を行う機能などを備えたＣＰＵ部５３とで構成される。
【００２４】
ここで記憶部５２には、例えばシステム構築時に、設置されている操作器２の操作スイッチＳ、この操作スイッチＳの操作によって表示状態が制御される出退表示器４の表示部３、該表示部３により出退表示される対象人物が対応付けられる名前番号と、この名前番号の対象人物の在／不在の状態とを対応付けた第１の状態テーブル５４が格納されており、この状態テーブル５４の在／不在の状態データはＣＰＵ部５３によって最新の状態データに更新されるようなっている。
【００２５】
この更新は、操作器２の操作スイッチＳの操作による在／不在の状態変更と、後述するネットワーク制御部１２側からの制御要求に基づいて、ＣＰＵ部５３の制御下で行われ、また操作器２の操作スイッチＳの操作による更新があった場合にはネットワーク制御部１２へ更新された状態データが受け渡されるようになっている。
【００２６】
尚監視制御部５による操作器２，出退表示器４の監視制御は、図１５で示した従来例と同じであるので、従来の技術の説明を参照することとし、実施形態としての説明は省略する。
【００２７】
一方出退表示設備（II)のネットワーク制御部１２は固有のＩＰアドレスが設定されるもので、図４に示すようにＣＰＵ部１２０と、１０ＢＡＳＥ−Ｔに対応せるネットワーク用通信部１２１と、監視制御部５との間のデータ授受のためのＩ／Ｆ部１２２と、第２の状態テーブル１２３や後述する設定の内容を登録する設定ファイル、各ネットワーク端末１０で閲覧表示されるファイル等を格納している記憶部１２４とで構成され、ＣＰＵ部１２０は、図５の概念的ブロックに示すようにＨＴＴＰサーバプログラムＰ１を搭載してそれが実行されることで、各ネットワーク端末１０に搭載したＨＴＴＰクライアントプログラム（例えば汎用のＷｅｂブラウザのプログラム）Ｐ２が実行されているネットワーク端末１０との間でＨＴＴＰ通信による状態制御要求の受信と、ＨＴＴＰ通信による制御の結果を返信するＷｅｂサーバを構築し、また搭載しているＩ／ＦプログラムＰ２を実行することで、出退表示設備（Ｉ）側の監視制御部５との間でデータの授受を行い、出退表示設備（Ｉ）側の操作器２の操作スイッチＳの操作による在／不在状態の変化があった場合の当該対象人物の状態データの受け取りや、逆に出退表示設備（II）側の状態制御要求に基づいた状態テーブル１２３での対象人物の状態データの更新があった場合に、制御要求データとして当該対象人物の更新された状態データを監視制御部５へ送出の処理を行い、また状態制御要求に基づいた状態テーブル１２３の更新や、監視制御部５から受け取った状態データに基づく状態テーブル１２３の更新を行うようになっている。
【００２８】
ここで状態テーブル１２３の構成は、表１に示すように予め登録可能な名前番号を確保し、夫々の名前番号に対応して状態データたる状態コードを付記するような構成となっており、状態コードは”１”が例えば「在」を、”２”が「不在」を、”０”が未登録であることを示すものであり、ネットワーク端末１０…の閲覧画面上に表示する在／不在の入力操作部たる後述する操作釦と、在／不在に対応した後述する出退表示部との対応関係を名前番号で対応付け、ＣＰＵ部１２０は所定の名前番号に対応した操作釦が操作されて状態制御要求を受け取ると、その操作に基づいて当該名前番号の状態コードを更新し、その状態コードが更新された名前番号に対応する出退表示部の表示状態を状態コードに基づいて変更制御する処理を行う。また名前番号、状態コードを出退表示設備（Ｉ）側の状態テーブル５４に用いられる名前番号、状態データたる状態コードと対応させ、両制御部５，１２との間で更新する状態データの授受を行う場合に、受け取った側で読み替え無しに更新処理ができるようになっている。
【００２９】
この状態テーブル１２３の構成は状態テーブル５４の構成に採用され、両テーブル１２３，５４での同じ名前番号は同じ出退表示の対象人物に割り当てられる。
【００３０】
【表１】
0004524973.tif 000002
【００３１】
さてネットワーク端末１０はＨＴＴＰクライアントプログラム（以下Ｗｅｂブラウザと言う）Ｐ３が実行されることで、当該ネットワーク端末１０に対応するクライアントを対象人物とする、在／不在の操作入力を、マウスのクリックやキーボードによる操作で行う操作入力機能や、前記クライアントを含め、所定の人物を対象とする出退情報の表示を行う機能を持つことができるようになっており、そのための在／不在の入力操作部と、出退表示部とをＷｅｂブラウザＰ３による閲覧画面上に設けるようになっている。
【００３２】
つまりＷｅｂブラウザＰ３が実行されているネットワーク端末１０には、図６に示すように、マウスでクリックされたり、キーボードのキーで操作されると、その操作入力情報を取り込んでクライアントの在／不在の状態が変化したことを検出する入力操作部１００と、検出された状態変化に対応する操作入力情報と、記憶部に格納している対象人物情報テーブル１０１とを照合して対象人物を特定し、特定した対象人物を示す情報たる名前番号を対象人物情報テーブル１０１から抽出し、この抽出した名前番号と、上記操作入力情報が示す状態に対応する状態コードとを組み合わせたデータをパラメーターとする制御要求をＨＴＴＰを利用してネットワークを通じてネットワーク制御部１２へ伝送する制御要求処理部１０３とが備わることになる。
【００３３】
図７はＷｅｂブラウザＰ３の実行とＵＲＬ指定によってネットワーク端末１０のモニタ上に表示される当該ネットワーク端末１０に対応した出退表示の閲覧画面の一例を示しており、この例では当該ネットワーク端末１０の使用許可者であるクライアントを対象とする在／不在の入力操作部１００に対応する釦３１〜３４と、該クライアントの出退表示部と後述する行き先を入力する際の設定釦とを兼ねた釦３０と、当該ネットワーク端末１０で出退表示させるように登録した対象人物の出退表示部３５…とを設けてある。尚釦３１は、在席を入力する操作スイッチ、釦３２は例えば「会議」で不在となるとき、釦３３は「出張」で不在となるとき、釦３４は「退庁（退社）」で不在となるときに選択される操作スイッチを構成する釦で、これらの釦３１〜３４の表示色と同じ色で上記釦３０を表示することで、不在の内容を含めた出退表示が行えるモードと在／不在を夫々異なる色で表示するモードとが設定できるようになっている。
【００３４】
尚図７中３６はコメント表示部、３７はメニュー切り替え釦表示部で、このメニュー切り替え釦表示部３７には出退画面つまり図７の画面の呼び出し釦３８と設定画面の呼び出し釦３８とが表示されている。
【００３５】
ここでネットワーク端末１０とネットワーク制御部１２とを用いた出退表示設備（II）の制御フローを図８により説明する。
【００３６】
まずネットワーク端末１０で対象人物の在／不在の状態の変化が釦３１〜３４の何れかの操作が検出されると、ネットワーク端末１０はその対象人物の名前番号と状態コードとをパラメーターとするデータを出退状態制御要求として発生（１）し、ＨＴＴＰ要求（２）としてネットワーク制御部１２へ送出する。ここでＨＴＴＰ要求（２）は出退表示設備（Ｉ）の状態を制御する処理を実現するためにＨＴＴＰサーバプログラムＰ１に設定されたＣＧＩプログラムの実行要求である。
【００３７】
さてネットワーク制御部１２のＣＰＵ部１２０は、ＨＴＴＰ要求（２）を受け取ると、出退表示設備(Ｉ）の監視制御部５へネットワーク端末１０から受け取ったデータを制御要求（３）として送出する。この制御要求（３）のデータを受け取った監視制御部５はＣＰＵ部５３の制御の下で制御要求を受け取ったことを示す受信結果をネットワーク制御部１２に返信する（４）とともに、状態テーブル５４の状態データを更新する。そしてこの更新された内容が示す名前番号に対応する出退表示器４の表示部３及び操作器２の操作スイッチＳに付設せる状態表示部の表示を、更新された状態コードが示す内容に制御する制御データＣＤを作成して伝送信号Ｖｓにて夫々に送り、夫々の表示状態を新たな状態を示すように変更させる。
【００３８】
一方上記受信結果返信（４）を受け取ったネットワーク制御部１２のＣＰＵ部１２０は状態テーブル１２３の状態データを更新し（５）、この更新された内容に基づいて当該対象人物の出退表示を変更させた内容をＨＴＴＰ応答（６）、つまりＣＧＩ機能の実行結果として、上記ＨＴＴＰ要求（２）を送出したネットワーク端末１０に返信する。このＨＴＴＰ応答（６）を受け取ったネットワーク端末１０ではモニタ上の閲覧画面を、出退表示部たる釦３０の表示色が在又は不在に対応した色に変更された画面に切り替え表示する。従ってこの釦３０の表示色を見ることで当該ネットワーク端末１０をクライアントの在／不在が判ることになる。
【００３９】
尚表示色で不在内容を示すモードでは、釦３２〜３４の何れか操作されると、ネットワーク端末１０はＨＴＴＰ要求時に、不在の状態コードに加えて、その内容を示すコードを付加したデータをネットワーク制御部１２へ送るようになっている。
【００４０】
上記のＨＴＴＰ応答（６）を返信したネットワーク制御部１２は、ＵＤＰ通信により他のネットワーク端末１０…に当該対象人物の状態コード（不在の場合にはその内容を示すコードを含む）の更新内容を通知する。そして当該対象人物に対応する出退表示部３５…を設けるように設定されている他のネットワーク端末１０ではモニタ上で表示する出退画面を、状態コードの更新内容に対応して表示色が変更された出退表示部３５を表示している画面に切り替える。これにより、他のネットワーク端末１０においても当該対象人物の在／不在が判ることになる。
【００４１】
一方、出退表示設備（Ｉ）の操作器２の操作スイッチＳの操作によって、対応する対象人物の在／不在の状態が変更されると、これに伴って出退表示設備（Ｉ）側の出退表示器４の対応する表示部３の表示状態が制御されるのは従来の技術で説明した通りであるが、同時に監視制御部５のＣＰＵ部５３は状態テーブル５４に格納した対象人物に対応せる名前番号の状態コードを更新し、またこの状態コードが更新された名前番号とその状態コードとからなるデータを制御結果としてネットワーク制御部１２側へ送る。このデータを受け取ったネットワーク制御部１２では、このデータ内容に基づいて状態テーブル１２３の対応する名前番号の状態コードを更新するとともに、この更新された内容に基づいて当該名前番号の対象人物の出退表示を行う各ネットワーク端末１０の閲覧画面用のファイルの出退表示部３５や釦３０の表示色を変更して、対応するネットワーク端末１０での出退表示を対象人物の在／不在の状態に合わせる。
【００４２】
かように出退表示設備（Ｉ）の操作器２の操作スイッチＳ或いは，出退表示設備（II）のネットワーク端末１０の何れかにおいて在／不在の入力操作が行われると、操作側に対応する一方の状態テーブル内容が更新されるのは勿論のこと他方の状態テーブル内容も更新され、この更新内容に基づいて出退表示設備（Ｉ）の出退表示器４の表示部２による出退表示と、出退表示設備(II)のネットワーク端末１０の閲覧画面上の出退表示とが在／不在の状態に対応して変更制御され、両設備（Ｉ）(II)間で連携動作が取られることになる。
【００４３】
ところで、出退表示設備（Ｉ）の監視制御部５はタイマ７のタイマ出力により出退表示設備（Ｉ）の非稼働／稼働時間帯を管理するようになっており、タイマ出力が稼働時間帯を示す場合には上述した出退表示設備（Ｉ）を稼働させ、タイマ出力が非稼働時間帯を示す場合には、監視制御動作を停止して出退表示設備（Ｉ）を非稼働状態とし、出退表示器４の表示部３と、操作器２の操作スイッチＳに付設する状態表示部とを消灯させる。このとき状態テーブル５４のデータはクリアされることになる。
【００４４】
この場合監視制御部５が非稼働状態となったことをネットワーク制御部１２側へ知らせるため状態テーブル５４の格納データがネットワーク制御部１２側の状態テーブル１２３側には反映されない。従って、この状態では出退表示設備(II)側のみが稼働してネットワーク端末１０での在／不在の操作入力に基づくネットワーク端末１０による出退表示のみが行われることになる。
【００４５】
そしてタイマ７のタイマ出力が非稼働時間帯が終了して稼働時間帯に入ったことを示すと、監視制御部５は出退表示設備（Ｉ）を稼働させるが、その稼働開始時には初期設定の動作として稼働状態となったことをネットワーク制御部１２側に通知する。ネットワーク制御部１２ではこの通知に呼応して、ＣＰＵ部１２０の制御の下で現時点の状態テーブル１２３が格納している全名前番号と対応する状態コードとからなるデータを監視制御部５に転送させる。
【００４６】
監視制御部５のＣＰＵ部５３は転送されてきたデータに基づいて状態テーブル５２の内容を更新するとともに、この更新されたデータに基づいて各出退表示器４の表示部３の表示を制御する制御データＣＤや、操作器２の操作スイッチＳに付設した状態表示部の表示を制御するための制御データＣＤを生成して、夫々伝送信号Ｖｓにより送出させる動作を行い、各出退表示器４の表示部３による出退表示を出退表示設備(II)側の出退表示状態と一致させる。この初期動作が終了した後、通常の動作状態に入る。
【００４７】
これにより、通常の就業時間帯以外においても仕事を行う個人に対応したネットワーク端末１０での在／不在の入力操作と出退表示を可能とするとともに、部署等での共用設備として使用され、その稼働時間帯を就業時間帯に設定される出退表示設備（Ｉ）の出退表示状態を、就業開始時にその時点での出退表示設備(II）の出退表示状態と一致するように自動的に初期設定することができることになる。
【００４８】
ところで、本実施形態では、各ネットワーク端末１０のモニタ上で表示させる閲覧画面上で出退表示部３５…や、釦３０の表示レイアウトを変更ができるようになっている。
【００４９】
つまり図７に示すメニュー切り替え釦表示部３７に表示されている設定画面の呼び出し釦３９をクリックすると、このクリックの操作データをＨＴＴＰ通信により受け取った伝送ユニット２０のネットワーク制御部１２は各種設定のための画面をネットワーク端末１０の閲覧画面に表示させ、その表示された画面上の釦の操作があると、更に下層の設定用画面表示させるようになっており、表示レイアウトを変更する場合には、変更したいネットワーク端末１０の閲覧画面上で上述の操作を行い、表示レイアウト変更の設定画面を呼び出せば良い。この設定画面では、図７に示す釦３０に表示する個人名の入力や、コメント表示部３６への入力、更に出退表示部３５の表示名（対象人物の名前や肩書き等の属性名）の入力や修正を行うことを可能とする設定画面が表示され、レイアウト編集機能が動作する。
【００５０】
この場合、図９に示すように例えば個人名又は所属名（属性名）の何れを後述する表示窓４１に表示させるかを選択する選択入力窓４０、該選択入力窓４０で選択された個人名又は所属名の名前一覧を順次表示する表示窓４１、図７の出退画面の出退表示部３５と同様なセル４２やコメント表示部３６に対応する表示欄４３、また釦３０に対応する表示欄４４からなる出退画面表示の名前一覧表示部と、コメント表示部３６に対応するコメント入力部４４、表示窓４１で表示される名前を名前一覧表示部のセル４２や表示欄４４へ移動させて、当該セル４２に対応する出退表示部３５で出退表示を行う対象人物や釦３０に対応するクライアントを設定したり、表示欄４３にコメント入力部４４で入力された内容を移動させてコメント表示部３６で表示させる内容を設定するための移動釦４５，名前一覧表示部４２で現在設定されている名前やコメント内容中、指定された名前やコメント内容の設定を消去する消去釦４６，現在設定されている全ての内容を設定を消去する消去釦４７が表示されている。そして、これらを用いて所定のセルに順位名前を割り当てることで、そのセルに対応する出退表示部３５で出退表示する対象人物や、クライアント名、コメント内容等を設定入力することができ、この設定入力が終了して登録釦４８を操作することで設定データはネット制御部１２へ送られ、ネット制御部１２のＣＰＵ部１２０の制御の下で記憶部１２４の設定ファイルに登録され、この登録に基づいてネットワーク端末１２での出退表示部３５や釦３０の表示制御や在／不在の入力の監視が行われるとともにコメント表示が行われる。４９は設定した情報をキャンセルするためのキャンセル釦である。
【００５１】
尚設定画面から、出退画面へ戻るにはメニュー切り替え釦表示部３７に表示される出退画面の釦３８を操作すれば良い。
【００５２】
また出退表示設備(II)では、出退表示の対象人物の行き先管理もできるように簡易な行き先表示を不在操作時に設定する機能を持つ。
【００５３】
これは不在のための釦３２〜３４の何れかを操作した後、クライアントの出退表示部を兼ねた釦３０をクリックすると、会議、出張、退庁（退社）に対応した行き先を表示する閲覧画面に切り替わる。この閲覧画面上から行き先を選択し、選択した行き先名を表示している釦をクリックすれば、ネットワーク制御部１２において状態テーブルにおいて当該対象人物の状態コードとともに行き先が登録管理される。そしてネットワーク制御部１２は他のネットワーク端末１０…に登録された当該対象人物の状態コード及び行き先情報をＵＤＰ通信により通知するする。この通知により他のネットワーク端末１０…では、当該対象人物の出退表示部３５に行き先名が入力されていることを示すマークＸを付した閲覧画面が図７に示すように表示される。
【００５４】
そしてこの出退表示部３５がクリックされると、当該ネットワーク端末１０の表示画面が、登録されている行き先名の表示色を他の行き先名とは異なる色で表示した閲覧画面に切り替わり、これによりその対象人物の行き先場所を知ることができることになる。対象人物の在席の操作入力があると、当該対象人物に対応した行き先登録はリセットされることになるのは勿論である。
【００５５】
この行き先名は予めクライアントのネットワーク端末１０で表示させた設定画面を通じて会議、出張、退庁の各不在用の釦３２〜３４に対応した行き先を入力し、この入力データをネットワーク制御部１２へ送れば、その記憶部１２４に釦３２〜３４の操作に対応して行き先表示を行う場合の行き先が登録される。
【００５６】
ところで出退表示設備(II)では出退表示は、ネットワーク端末１０で行うため、ネットワーク端末１０がＷｅｂサーバたるネットワーク制御部１２へのアクセスを行っていない場合、出退状態を知ることができない。
【００５７】
そこで、本実施形態では、ネットワーク端末１０の閲覧画面上で所定の人物が不在から在席へ操作入力を行った場合に、在状態になったことを知る必要がある場合、自己のメールアドレス宛の、所定の人物が在席になったことを示す在通知メールがメールサーバ８へ送信されるように設定できるようなっている。
【００５８】
在通知メールの通知を受けたいクライアントは、まず出退画面で不在を示していて在通知メールの対象としたい所定の人物の出退表示部３５をクリックすることで、図１０（ａ）に示す在通知メールの要を設定するためのダイアログを呼び出し、このダイアログからメールの表示されている釦５８をクリックすると、所定の人物に対する在通知メールの設定情報がネットワーク制御部１２へ送られ、ＣＰＵ部１２０の制御の下で記憶部１２４内に格納されている在通知メールの設定テーブルに登録される。尚図１０（ａ）の釦５９はダイアログを閉じるための釦である。
【００５９】
尚上記設定テーブルは出退表示対象者の名前番号を縦と、横に配置し、一方側を在通知メールの受け手側とし、他方側を在状態になったことを在通知メールで通知する監視対象側としたもので、上記在通知メール要の設定に応じて受け手側のクライアントと、在通知メールの対象として選択した人物とを対応付けて登録されるようになっている。
【００６０】
ここで、出退システムにおける出退表示対象人物の各メールアドレスがネットワーク制御部１２の記憶部１２４の設定ファイル内に初期登録されているものとする。また対象となるメールサーバ８のＩＰアドレス，ＰＯＲＴ、ドメイン名及び在通知メールの内容は図１０（ｂ）で示す在通知メール設定画面により予め設定されているものとする。
【００６１】
この図１０（ｂ）の設定画面は許可されたシステム管理人が閲覧できる画面であり、システム管理人はメールサーバ８のＩＰアドレスの入力欄５５ａ、ＰＯＲＴ設定欄５５ｂ、ドメイン名設定欄５５ｃに必要なデータを入力することで在通知メールを送信するメールサーバを登録し、また送信元の名称の表示欄、表題の表示欄７１，本文の表示欄５６で夫々の内容を入力する。尚表示欄５６，５７の｛＃ｎａｍｅ｝は、ネットワーク制御部１２のＣＰＵ部１２０の制御の下で上記の在通知メールの対象人物の名前が送信時に自動的に挿入される。
【００６２】
而して、上述のようにクライアントがネットワーク端末１０で表示されている出退画面で不在が表示されている所定の人物に対して在通知メール要を上述のダイアログから設定しておくと、当該所定の人物の状態コードが更新された時に、ネットワーク制御部１２のＣＰＵ部１２０は、当該所定の人物の在通知メールを要と設定しているクライアントを上記の在通知メールの設定テーブルより検索し、設定しているクライアントが存在すれば、そのクライアント、つまり受け手側のメールアドレスを設定ファイルから抽出して、当該メールアドレス宛の在通知メールをメールサーバ８に送信する。この際、在通知メールの表題や、本文には在通知メールの対象となっている上記所定の人物の名前を挿入する。
【００６３】
これにより上記メールアドレスのクライアント、つまり受け手側のネットワーク端末１０では、出退表示のためにＷｅｂブラウザＰ３を起動していなくても、メーラーを常時起動させている場合、その着信監視機能により、メールサーバ８にメール着信があったことを知ることができ、この着信に対応してメーラーによって在通知メールを受け取れば、在通知メールの表題、本文から所定の人物が在席状態となったことを知ることができる。
【００６４】
また上記ダイアログによる在通知メールの設定は、設定対象の在通知メールの送信が終了するとリセットされる。
【００６５】
尚在通知メール設定機能は必要に応じて設ける機能であり、メールサーバ８を設けないシステムではこの機能は不要である。
【００６６】
ところで、出退表示設備（Ｉ）は、端末の監視制御を監視制御部４で行うものであるが、この出退表示設備（Ｉ）の端末として、会議室等に、使用／非使用（空室）を操作入力するスイッチを備えた操作端末を設け、この端末のスイッチ操作を監視するオプション機能を付加することができるようになっており、このオプション機能は、在／不在の入力を行う操作器２と同様に名前番号に対応する接点番号と当該操作器の状態データ、つまり状態コードとを対応付けて上記状態テーブルに格納するとともに、この接点番号と状態コードをネットワーク制御部１２の状態テーブルにも格納し、ネットワーク端末１０側でこれら操作器を設置した部屋の使用状況をチェックすることができるようになっている。
【００６７】
図１１はオプション設定のための設定画面を示しており、上述の各設定と同様にネットワーク端末１０のモニタに閲覧画面上に当該設定画面を呼び出し、この画面において、対象とする操作器（以下ＤＩ／Ｏ接点と言う）の有無を入力するラジオ釦部７０，ＤＩ／Ｏ接点数を入力する入力欄７１，各ＤＩ／Ｏのオン／オフ状態を表示するかどうかを選択するラジオ釦７２、ＤＩ／Ｏ接点のオン／オフの表示タイトルの入力欄７３，ＤＩ／Ｏ接点のオン又はオフのカウント数を表示するか或いはカウント数の表示をしないかを選択するラジオ釦７４，カウント数の表示有りとした場合のカウントタイトルの入力欄７５，登録されているＤＩ／Ｏ接点の接点番号と、名称を表示する表示欄７５各ＤＩ／Ｏ接点に対応する接点番号と、名称を入力する入力欄７６，設置されているネットワーク端末１０に対応する人物の名前や属性名の表示欄７７、この表示欄７７に表示される人物からからＤＩ／Ｏ接点の状態を表示させるネットワーク端末１０に対応する人物を選択入力欄７８に選択移動させる移動釦７９、選択入力欄７８に表示される一覧からから指定した選択表示者を消去するための消去釦８０ａ、全選択表示者を消去する消去釦８０ｂ、この画面で設定された内容の登録を指示する登録釦８１，設定した内容をキャンセルするためのキャンセル釦８２等が設けられており、この画面でＤＩ／Ｏ接点に関する設定が行えるようになっている。
【００６８】
而して入力操作が終了して登録釦８１が操作されると、ネットワーク制御部１２は入力データを受け取って、各ＤＩ／Ｏ接点の接点番号と状態コードとの状態テーブルを監視し、接点情報を設定された対象人物のネットワーク端末１０のＨＴＴＰクライアントプログラムＰ３によるＵＲＬ指定によって状態表示のファイルを当該ネットワーク端末１０へ送出する。
【００６９】
図１２は表示対象人物のネットワーク端末１０でのＤＩ／Ｏ接点表示に対応する閲覧画面を示しており、この画面では上述の入力欄７３で入力されたタイトルを表示する表示部９０，各ＤＩ／Ｏ接点の名称とその状態を各別に表示する表示部９１、上述の入力欄７５で入力されたオンオフタイトルを表示する表示部９２、及びカウント数を表示する表示部９３などから構成される。尚釦９４は、全てのＤＩ／Ｏ接点をオフするためのオフ操作釦であるが、使用している操作器の種類によりこの釦９３の操作が有効／無効が決まる。
【００７０】
このようにＤＩ／Ｏ接点に関するオプション機能を備えることで操作端末を部屋に設置すれば部屋の使用状態管理に、また出席者の数をカウントするために用いれば出席者や欠席者の数の管理に用いることができる。
【００７１】
上記図１のシステム例は、１組の出退表示設備（Ｉ）(II)と伝送ユニット２０とを基本とするシステムであるが、図１３に示すようにルータＲTを介して複数のシステムのネットワークを結合することで、システム間で連携動作（連動）させることを可能とする連動設定機能を伝送ユニット２０のネットワーク制御部１２に設けてある。
【００７２】
つまり、システム構築に当たっては許可された者のみがアクセスできる伝送ユニット連動設定のための図１４に示す設定画面を許可された者、つまり管理者がシステムネットワーク端末１０上に呼び出し、この設定画面上に表示される連動有無を選択するラジオ釦２００により連動有りを選択入力し、また連動させたい伝送ユニット２０の数を入力欄２０１で入力し、更に連動させたい伝送ユニット２０のＩＰアドレスをＩＰアドレス入力欄２０２で入力する。本実施形態では連動できる伝送ユニット数が当該伝送ユニット２０を含めて最大４台までとなっており、当該ＩＰアドレス入力欄２０２は４台のための入力部が設けられ、連動対象となる伝送ユニット２０のＩＰアドレスを入力するようになっているが、当該システムの伝送ユニット２０のＩＰアドレスは例えば”＊”で示され、この入力欄２０２で入力しなくても良いようになっている。
【００７３】
ＩＰアドレス欄２０２の下方には、伝送ユニット２０間の連動関係を設定するための連動表設定入力欄２０３が設けられ、この入力欄２０３の左側の窓には現在当該システムにおいて登録されている、出退表示対象人物に対応して設定されている名前番号中連動させたい名前番号を入力し、右側の窓に連動させたい他のシステムにおいて登録されている表示対象人物に対応して設定されている名前番号をそのシステムの伝送ユニット２０に予め付与されているユニット番号とともに入力することで、当該システムにおける名前番号と、他のシステムにおける名前番号との間で連動関係を設定することができようになっている。尚右側の窓への入力は「ユニット番号−名前番号」という形式で入力を行い、また複数のシステムにおける名前番号に対応して連動させたい場合には例えば「，」で区切って入力するようになっている。尚実施形態では、１つのシステム、つまり伝送ユニット２０当たり１つの名前番号と連動関係を持たせることができるようになっている。
【００７４】
図中２０４は入力データを全て消去する消去釦、２０５は入力データを設定データとして登録を指示する登録釦、２０６は設定した情報をキャンセルするためのキャンセル釦である。
【００７５】
而してデータ入力が終了した後、登録釦２０４を操作すれば当該システムの伝送ユニット２０のネットワーク制御部１２に取り込まれ、ＣＰＵ部１２０の制御の下で記憶部１２４内に連動テーブルとして格納されることになる。
【００７６】
この連動設定は当該システムにおける出退状態を他のシステムの出退状態に反映させる設定であり、相互間で反映させる場合には、他のシステムにおいても同様な設定を行う必要がある。
【００７７】
而して、上述のような連動設定が為されると、伝送ユニット２０のネットワーク制御部１２は自己のシステムに対応する状態テーブル１２３が更新されると、その更新対象となった名前番号が他のシステムに対して連動関係があるか否かを連動テーブルでチェックし、連動関係があれば、その連動関係が設定されているシステムの伝送ユニット２０のネットワーク制御部１２に、連動テーブルに設定されている連動関係のある名前番号と状態コードとを更新された状態のデータとして通知する。
【００７８】
このデータを受け取った他のシステムのネットワーク制御部１２のＣＰＵ部１２０は、このデータに基づいて状態テーブル１２３を更新し、この更新内容に基づいて当該システムのネットワーク端末１０における出退表示状態を変更制御し、更に当該システムの出退表示設備（Ｉ）の監視制御部４に更新のためのデータを送り、監視制御部４の状態テーブル５４を更新させる。監視制御部４は更新された名前番号に対応する出退表示器４の表示部３の表示状態を変更制御するとともに対応する操作器２の操作スイッチＳの状態表示部の表示を変更制御する。
【００７９】
このようにして連動関係を持たせたシステム間では、一方のシステムの出退表示を、他のシステムの出退表示に反映させることができることになる。
【００８０】
尚連動無しを選択した場合には、ルータをネットワークが接続されている場合においても互いのシステムの出退表示は夫々のシステムにおいて独立的に為されることになる。
【００８１】
また連動状態において、ネットワーク障害が生じて出退表示がシステム間で個となる状態が生じた場合には、ネットワーク復帰後、例えばユニット番号が小さ伝送ユニット２０を設けているシステム側の出退表示に合わせる状態一致制御機能のプログラムをネットワーク制御部１２のＨＴＴＰサーバプログラムＰ１に持たせている。
【００８２】
尚出退表示設備（II)をＨＴＴＰ通信を利用して在／不在の状態に対応した出退表示制御を行うようにしているが、他のプロトコルを用いた通信によって制御を行うようにして勿論良い。
【００８３】
【発明の効果】
請求項１の発明は、出退表示の対象人物の在／不在を入力する操作スイッチを備えた操作器と、当該操作器の操作スイッチに対応付けて対象人物の出退を表示する表示部を備えた出退表示器と、専用の信号線である第１の信号線を介して上記操作器及び上記出退表示器に接続される監視制御部とからなる第１の出退表示設備と、ネットワークの信号線であって上記第１の信号線とは異なる第２の信号線に接続されて所定のプロトコルによるデータの送受信が行える通信機能を備えたクライアント用のネットワーク端末と、上記第２の信号線に接続されるネットワーク制御部とからなる第２の出退表示設備とを併存させ、上記監視制御部は、上記操作器及び上記出退表示器との間で多重伝送信号により、制御、監視のデータの授受を行う第１の監視制御機能と、上記対象人物と当該対象人物の在／不在の状態とを対応付けた第１の状態テーブルとを備えるとともに、上記操作器から上記操作スイッチの操作データが送られてくると、当該操作データに基づいて上記第１の状態テーブルの当該操作スイッチに対応する対象人物の在／不在の状態データを更新するとともに、上記第１の状態テーブルの状態データが更新されると、当該状態データに基づいて当該対象人物に対応関係を持つ上記出退表示器の表示部の表示状態を変更させる制御データを上記多重伝送信号により上記出退表示器へ少なくとも送信する第２の監視制御機能を備え、上記ネットワーク制御部は、上記ネットワーク端末との間で所定のプロトコルによってデータの授受を行う通信機能と、上記出退表示の対象人物と当該対象人物の在／不在の状態とを対応付けた第２の状態テーブルとを備えるとともに、上記ネットワーク端末側の入力操作によって入力される所定の対象人物の在／不在のデータを受け取ると、当該データに基づいて上記第２の状態テーブルの当該対象人物の状態データを更新するとともに、上記第２の状態テーブルの状態テーブルが更新されると、当該状態データに基づいた当該対象人物の出退表示用データを、当該対象人物の出退表示を行う上記ネットワーク端末へ伝送する第３の監視制御機能を備えているので、第１の出退表示設備の多くの人で共用することができ、また多くの人を対象とした出退表示を提示できるという長所を生かさせ、また第２の出退表示設備では、個人が使用するパーソナルコンピュータ等によるネットワーク端末を用いて在／不在の入力が、他の人の出退情報を表示させることができ、第１の出退表示設備の表示器の表示部が小さくて、見にくいという問題もなく、しかも出退情報の表示もネットワーク端末のクライアントに対応して設定することも可能となるという長所が生かせ、しかも伝送ユニットは、上記ネットワーク制御部と上記監視制御部の何れか一方の状態テーブルの状態データの変化があると、当該状態データに対応する対象人物と同一対象人物に対応する他方の状態テーブルの状態データを、上記伝送ユニット内における上記監視制御部と上記ネットワーク制御部との間のデータの授受によって更新させる機能を備えているので、両出退表示設備間での出退表示を連携させて一致させることができるため、ネットワーク端末、操作器、表示器を適所に配置することで、夫々の出退表示設備の長所が生かせる出退表示システムを構築できるという効果があり、しかも既設の第１の出退表示設備の監視制御部を、ネットワーク側に対応するネットワーク制御部と、このネットワーク制御部との間でデータの授受が行える監視制御部とからなる伝送ユニットに交換するだけで、既存のネットワークに接続されているネットワーク端末を利用して第２の出退表示設備を構築するとともに、既存の第１の出退表示設備を利用することができるという効果がある。
【００８４】
請求項２の発明は、請求項１の発明において、上記ネットワーク端末にはＷｅｂブラウザを、ネットワーク制御部にはＷｅｂサーバ機能を夫々搭載して、上記ネットワーク制御部とネットワーク端末との間のデータ送受信をＨＴＴＰ通信により行い、上記ネットワーク端末ではＷｅｂブラウザによる閲覧画面上に、所定の対象人物の在／不在の入力操作部、所定の対象人物の出退表示部を形成しているので、ネットワーク端末に一般的に搭載されているＷｅｂブラウザをそのまま利用して、出退情報の表示や在／不在の操作入力ができ、各ネットワーク端末側には専用のアプリケーションをインストールする必要がないという効果がある。
【００８５】
請求項３の発明は、請求項１又は２の発明において、上記伝送ユニットのネットワーク制御部には、ネットワーク同士がルータを介して接続される他の出退表示システムにおける出退表示の対象人物に、自己側の出退表示の対象人物を関連付けて設定し、第２の状態テーブル中、該関連付けた対象人物に対応する状態データが更新された際に、更新された状態データに対応する他の出退表示システムの伝送ユニットのネットワーク制御部に対して該ネットワーク制御部の第２の状態テーブルの関連対象人物の状態データを更新するための通知を上記ネットワークを介して行う連動設定機能を備えているので、複数のネットワークに跨る形で夫々の出退表示と在／不在の入力とを連動させることができ、そのため出退表示の対象人物の人数が多くなっても容易に対応できるシステムを構築でき、また複数の建物に亘るシステム構築も容易に行え、更に複数の出退表示器の表示部で出退表示される人物が多数いる場合にも対処することもできるという効果がある。
【００８６】
請求項４の発明では、請求項１乃至３の何れかの発明において、上記伝送ユニットのネットワーク制御部には、予め指定された対象人物の状態データが不在状態から在状態に更新されると、予め設定されたメールアドレス宛の在状態通知用メールを上記ネットワークを介してメールサーバへ送信する在メール通知機能を備えているので、予め設定されたメールアドレスの所有人物では、ネットワーク端末で出退表示システム用のＷｅｂブラウザ等のプログラムが立ち上げていなくても、予め指定された対象人物が不在状態から在状態に変わったことを電子メールを受け取ることで知ることができるという効果がある。
【００８７】
請求項５の発明は、請求項１乃至４の何れかの発明において、伝送ユニットには第１の出退表示設備の非稼働／稼働の時間帯を設定するタイマを備えるとともに、第１の出退表示設備の非稼働時間帯では監視制御部の第１の状態テーブルのデータによる上記ネットワーク制御部の状態テーブルの更新を停止し、第１の出退表示設備の稼働開始時に、該稼働開始時点の上記ネットワーク制御部の第２の状態テーブルのデータで監視制御部の第１の状態テーブルのデータを更新する機能を備えているので、多数の人で共用される第１の出退表示設備の稼働状態、非稼働状態を自動的に設定管理することができるとともに、稼働状態に戻ったときには第１の出退表示設備の非稼働状態においても、個人レベルで使用され、出退表示状態が変化している第２の出退表示設備の最新の出退表示状態に、第１の出退表示設備の出退表示状態を自動的に設定することができ、出退表示の不一致という不都合も生じないという効果がある。
【００８８】
請求項６の発明は、請求項１乃至５の何れかの発明において、伝送ユニットのネットワーク制御部には、第１の出退表示設備側に付設される操作端末のオン／オフ状態を監視して、その状態をネットワーク端末側で閲覧可能とする機能を備えているので、操作端末の操作状況を把握することができ、部屋の使用状況や出席者等を把握することが可能となるという効果がある。
【図面の簡単な説明】
【図１】本発明の一実施形態における一システム例の構成図である。
【図２】同上の伝送ユニットのブロック図である。
【図３】同上の監視制御部のブロック図である。
【図４】同上のネットワーク制御部のブロック図である。
【図５】同上のネットワーク制御部の機能を示す概念的なブロックを含めた伝送ユニットと第２の出退表示設備側の構成説明図である。
【図６】同上のネットワーク端末の機能を示す概念的ブロック図である。
【図７】同上のネットワーク端末で表示される出退画面の例図である。
【図８】同上の動作説明用の流れ図である。
【図９】同上の出退画面のレイアウトの設定画面の例図である。
【図１０】（ａ）は同上の在通知メールの設定ダイアログの表示例図である。
（ｂ）は同上の在通知メールの設定画面の例図である。
【図１１】同上のＤＩ／Ｏ設定画面の例図である。
【図１２】同上のＤＩ／Ｏ接点表示画面の例図である。
【図１３】同上における別のシステム例の構成図である。
【図１４】同上の別のシステム例における伝送ユニット連動設定用の設定画面の例図である。
【図１５】従来例のシステム構成図である。
【図１６】同上に用いる時分割多重伝送信号の信号構成説明図である。
【符号の説明】
(Ｉ)  第１の出退表示設備
(II )  第２の出退表示設備
１    盤
２    操作器
３    表示部
４    出退表示器
６    信号線
８    メールサーバ
１０  ネットワーク端末
１１  信号線
２０  伝送ユニット
Ｓ  操作スイッチ
【図１】
0004524973.tif 000003
【図２】
0004524973.tif 000004
【図３】
0004524973.tif 000005
【図４】
0004524973.tif 000006
【図５】
0004524973.tif 000007
【図６】
0004524973.tif 000008
【図７】
0004524973.tif 000009
【図８】
0004524973.tif 000010
【図９】
0004524973.tif 000011
【図１０】
0004524973.tif 000012
【図１１】
0004524973.tif 000013
【図１２】
0004524973.tif 000014
【図１３】
0004524973.tif 000015
【図１４】
0004524973.tif 000016
【図１５】
0004524973.tif 000017
【図１６】
0004524973.tif 000018